(57)【要約】新型風力連動ピッチシステムは、ブレード（６）を能動的または受動的にピッチさせる。電動ピッチは、ベアリング（１１）によってヘッドハブ（８）の周縁に均等に設置された回転シャフトを有する数組のブレード（６）によって達成される。新型風力連動ピッチシステムは、ブレードを回転駆動する連動可変ピッチ機構と、中空スピンドル付きの発電機システムと、電動引き抜きシステム（２）とを備え、連動可変ピッチ機構は、少なくともヘッドハブ（８）内に配置された連動板セット（１２）と、関節ベアリング（１３）と、連動板セット（１２）に連結された連動盤セット（１５）と、連動盤セット（１５）およびワイヤーロープセット（２５）を含む。【選択図】図１
2017535716.tif 000002
【特許請求の範囲】
【請求項１】
ブレードは自発ピッチしたり、ピッチされたりし、シャフト付きのブレード（６）はベアリング（１１）を通じてヘッドハブ（８）と結び、ブレードを牽引する連動ピッチ機構、中空スピンドル付きの発電機システムや電動引き抜きシステム（２）も含めており、前記シャフト付きのブレード（６）はそれぞれの前記ベアリング（１１）を通じて均等に前記ヘッドハブ（８）の外回りの電動ピッチに取り付けてなり、
前記連動ピッチ機構は、少なくとも前記ヘッドハブ（８）内の連動板セット（１２）と、関節ベアリング（１３）と、前記連動板セット（１２）に接続する連動盤セット（１５）と、前記連動盤セット（１５）上の中心ベアリング（１６）と、ワイヤーロープセット（２５）と、を含み、前記連動板セット（１２）は、ブレード根のシャフト（１０）と接続してから前記連動板セット（１２）上の前記関節ベアリング（１３）を通じて前記連動盤セット（１５）と結び、
前記連動盤セット（１５）は、中心軸穴とブレードを一々対応する曲げ爪の連動盤であって、前記連動盤セット（１５）に連動ピン（１７）を設けていて、曲げ爪の先端に固定板と接続し、中心軸穴での前記中心ベアリング（１６）を経由で前記ヘッドハブ（８）に取り付けられ、前記連動板セット（１２）は、前記関節ベアリング（１３）を通じて、前記連動盤セット（１５）での前記連動ピン（１７）と接続し、前記固定板の少なくとも一つは前記ワイヤーロープセット（２５）と接続し、
前記ワイヤーロープセット（２５）は、フレキシブルワイヤーロープ（２３）と、発電機の中空スピンドルを通るワイヤーロープケース（２４）と、ケース固定台（２１）と、を含み、前記フレキシブルワイヤーロープ（２３）の片一方は前記固定板と接続し、片一方はケース固定台（２１）を通じて前記ワイヤーロープケース（２４）経由で前記電動引き抜きシステム（２）と固定して、電動ピッチを実現させ、前記固定板とケース固定台（２１）間の前記フレキシブルワイヤーロープ（２３）の長さを調整して、ブレードセット連動ピッチ初期位置を設定し、バッファー（１４）経由でピッチのリセットスピードをコントロールして、設計値に達成させることを特徴とする、新型風力連動ピッチシステム。
【請求項２】
前記連動盤セット（１５）は、前記ヘッドハブ（８）を中心に回転し、前記シャフト付きのブレード（６）は前記ベアリング（１１）を通じて前記ヘッドハブ（８）に取り付け、それに各ブレードの回転中心線はヘッドハブ中心線と交差し、前記連動板セット（１２）はブレード回転軸に取り付け、前記連動盤セット（１５）で固定されたワイヤーロープの伸び量で連動盤回転角度と複数ブレードは同期回転することをコントロールする、請求項１に記載の新型風力連動ピッチシステム。
【請求項３】
前記フレキシブルワイヤーロープ（２３）の片一方はＵ型ボルト（２２）を抑え、３つの固定板（１８）を通ってナット（２６）を前記３つの固定板（１８）に取り付け、片一方は前記ワイヤーロープケース（２４）を通って発電機の前記電動引き抜きシステム（２）に固定し、前記ワイヤーロープケース（２４）の一端はケース固定台（２１）を経由で発電機（４）の中空軸を通って、中空発電機主軸と前記電動引き抜きシステム（２）の接続端子に固定させる、請求項１に記載の新型風力連動ピッチシステム。
【請求項４】
前記電動引き抜きシステム（２）を作動するとき、前記フレキシブルワイヤーロープ（２３）は前記ワイヤーロープケース（２４）の軸方向に回転する同時に前記連動板セット（１２）の前記３つの固定板（１８）及び前記フレキシブルワイヤーロープ（２３）のＵ型ボルト（２２）のナット（２６）と接続して、前記連動盤を回転させ、回転している前記連動盤は前記連動ピン（１７）、前記関節ベアリング（１３）及び前記連動板セット（１２）を通じて、ブレードを回転軸に動かし電動ピッチさせ、それでブレードの迎角を変更させ、自動的に連動ピッチし、前記ワイヤーロープケース（２４）は前記ヘッドハブ（８）と電機中空スピンドルに対しては止まっており、前記フレキシブルワイヤーロープ（２３）は中空発電機スピンドルと前記ヘッドハブ（８）に対して回転する、請求項３に記載の新型風力連動ピッチシステム。
【請求項５】
前記バッファー（１４）は、ピッチダンパースプリングであり、ブレード連動ピッチする時インペラの出力は穏やかになる、請求項１に記載の新型風力連動ピッチシステム。
【請求項６】
前記電動引き抜きシステム（２）と前記ワイヤーロープケース（２４）及び前記フレキシブルワイヤーロープ（２３）が作動するとき、一方向に引き抜きするから、前記ワイヤーロープケース（２４）は発電機の中空スピンドルとの相対回転はしない、その代わりに前記フレキシブルワイヤーロープ（２３）は中空スピンドルに沿って軸方向に動き、ピッチ回復するとき、前記フレキシブルワイヤーロープ（２３）は前記バッファー（１４）の作用で戻る、請求項３に記載の新型風力連動ピッチシステム。
【発明の詳細な説明】
【技術分野】
【０００１】
本発明は新型風力連動ピッチシステムに関わり、能動受動両方できるピッチ風力発電機の連動システムである。
【背景技術】
【０００２】
風力エネルギーは再生可能エネルギーのひとつとして、自然環境の保全、エネルギーセキュリティの確保可能なエネルギー源として認められる。どうやって風力エネルギーを最大限に利用することは直面の課題である。わが国は世界人口の大国であり、エネルギーへの依頼性も相当である。風力エネルギーはわが国及び世界各国当時或いは将来の主要一つの新エネルギーである。地域によって風速や風向が大幅に違うため、如何にして異なる風速や風向で風力発電機を高稼働率で運転するかということは依然として設計者に対する重要な課題である。風力発電機の主要パーツは、ノーズコーン、ナセル、風速計及び制御システムである。
【０００３】
現在、多くの大中型の風力発電機は電動能動ピッチ制御技術を採用し、リアルタイムにブレードのピッチ角度を調整してブレード迎角を変更させて最高の電力を実現させ、それにフェザリングを制御して風力発電システムを保護する。本構造は比較的複雑で、メンテナンスの費用は高い。特に中小型の風力発電機に対して、電動ピッチ制御システム機構は複雑で、製造も取り付けも難しくて、故障は多くて、コストは高くなる。でも、小型風力発電機は普通固定ピッチモーメントのブレード失速制御技術、ヨー制御技術を採用する。悪い天候や環境に影響されて、出力電力が不安定・不確実になったり、効率や安全性が低くなったり、寿命が短くなったりするという短所がある。ある中小型の風力発電機は連動ピッチ制御技術を採用するが、歯車で連動するから、複雑な割には精度低い。
【０００４】
本出願の出願人は、出願番号の２０１２１０５８７７１１．４で風力発電機連動ピッチシステムを発表した。風力発電機の手動と電動連動ピッチに適用する。中にはブレードセットとヘッドハブを接続するピッチシステムを含む。そのピッチシステムは手動ピッチと電動ピッチを含む。
【０００５】
前記したブレードセットは二個以上のブレード根のシャフトつきのブレードがブレード回転ベアリングを通じてヘッドハブに取り付ける。各ブレード根のシャフトの中心線はヘッドハブ中心線に交差する。ブレード根のシャフトの根部は重力バーと接続して、重力バーは関節ベアリングを通って穴が均一に分布している連動盤と接続して連動機構を構成する。
【０００６】
手動ピッチは連動盤が中心ベアリングを通じてヘッドハブに取り付ける。この連動盤はピッチ回転方向にスールホールが付き、ピン、調整スプリングやバネ蓋及びポジションナットを利用してヘッドハブに取り付ける。調整ピンでのポジションナットを通じてスプリングの圧縮量を規定値に調整する。すなわち、ブレードセット連動ピッチの初期平衡力を設置する。一つの制限ボルトはヘッドハブに取り付けて連動盤を支え、その後、制限ボルトの長さを調整して連動盤初期位置を制御して、各ブレードの初期取り付け角度をコントロールする。
【０００７】
上記した電動ピッチセットはアルミ合金ジョイントに固定されるフレキシブルワイヤーロープが連動盤の穴を通って、一端はスプリングでヘッドハブに取り付け、他端はフレキシブルワイヤーロープケースを通じて発電機での中空発電機スピンドルを通って電動引き抜きシステムに固定される。構造が簡単で、コストが低く、安定性がよくて連動精度が高いというメリットがある。風力発電機主制御システム信号を通じて電動引き抜きシステムを指令し、ブレードピッチの角度を制御してブレード能動ピッチを実現する。関節ベアリングの自由回転、連動盤の腰穴が関節ベアリングの外回りとの高精度配合、関節ベアリングが腰穴での可動性を利用してインペラの各ブレードがピッチするとき、高い同期性を実現する。それで風切りや風向下向きのタワーシャドウ効果で起こしたブレードピッチ変動力の不均一で不同期問題を解決する。ピッチ変動の同期と時間的のピッチ能動変更ということで、風力発電システムの安定性と圧電量をアップさせ、風力発電システムの運営寿命を延長して、風力発電システムの稼動安全性を保つ。
【０００８】
一方、出願番号の２０１２１０５８８２５８．９で発表した風力発電システムの可変ピッチシステムの中に可変ピッチドライブ、可変ピッチモータ、可変ピッチ減速装置やナセルの信号スリップリング、発電機定子とスーパーコンデンサが含める。中の転換スイッチはスーパーコンデンサと外部電源の給電を引き換えて、それから信号スリップリングに接続する。スーパーコンデンサは充電器を持っていて、その充電器は力率変換回路ユニット、ＤＣ／ＤＣスイッチ回路ユニットとスーパーコンデンサ電池保護ユニットを含む。外部電源と転換スイッチの間に警戒装置を設置している。スーパーコンデンサの充電器と風力発電システム制御基地局は、警戒装置が発送した信号を受け取る。本発明で述べたシステムは、ナセル、ブレード、ベースプレートと制御基地局の連動を実現できる。連系を失ったときに、速やかにフェザリングに転換して、信号スリップリングとスーパーコンデンサを最適化して、予備電源を切り替えと継続的に使用することを保証でき、システムが安全で、故障率が低く、コストが低いという特徴がある。
【発明の概要】
【０００９】
本発明は、新型風力発電機連動ピッチシステムを提供することを目的とする。中に風力発電機連動システムの改善を含む。
【課題を解決するための手段】
【００１０】
本発明は以下示した技術案で実現することができる。
【００１１】
新型風力連動ピッチシステムであり、ブレードは自発ピッチしたり、ピッチされたりする。シャフト付きのブレードはベアリングを通じてヘッドハブと結び、ブレードを牽引する連動ピッチ機構、中空スピンドル付きの発電機システムや電動引き抜きシステムも含めている。上記した若干シャフト付きのブレードはそれぞれのベアリングを通じて均一的にハブの外回りの電動ピッチに取り付ける。
【００１２】
連動ピッチ機構は少なくともハブ内の連動板セット、関節ベアリング、連動板セットに接続する連動盤セット、連動盤セット上の中心ベアリング、ワイヤーロープセットを含めて構成する。中には、連動板セットは、ブレード根のシャフトと接続してから連動板セット上の関節ベアリングを通じて連動盤セットと結ぶ。
【００１３】
連動盤セットは、中心軸穴とブレードを一々対応する曲げ爪の連動盤である。連動盤セットに連動ピンを設けていて、曲げ爪の先端に固定板と接続し、中心軸穴での中心ベアリングを経由でヘッドハブに取り付ける。上記した連動板セットは関節ベアリングを通じて、連動盤セットでの連動ピンと接続する。
【００１４】
ワイヤーロープセットは、フレキシブルワイヤーロープ、発電機の中空スピンドルを通るワイヤーロープケースとケース固定台を含む。フレキシブルワイヤーロープの片一方は、固定板と接続し、片一方はケース固定台を通じてワイヤーロープケース経由で電動引き抜きシステムと固定して、電動ピッチを実現させる。固定板とケース固定台間のフレキシブルワイヤーロープの長さを調整して、ブレードセット連動ピッチ初期位置を設定する。バッファー経由でピッチのリセットスピードをコントロールして、設計値に達成させる。
【００１５】
フレキシブルワイヤーロープの片一方は、Ｕ型ボルトを抑え、３つの固定板を通ってナットを３つの固定板に取り付ける。片一方はワイヤーロープケースを通って発電機の電動引き抜きシステムに固定する。中に、ワイヤーロープケースの一端は、ケース固定台を経由で発電機の中空軸を通って、中空発電機主軸と電動引き抜きシステムの接続端子に固定させる。
【００１６】
上記した案で述べたように、連動盤セットはヘッドハブを中心に回転し、シャフト付きのブレードはベアリングを通じてヘッドハブに取り付け、それに各ブレードの回転中心線はヘッドハブ中心線と交差する。連動板セットは、ブレード回転軸に取り付け、連動盤セットで固定されたワイヤーロープの伸び量で連動盤回転角度と、複数のブレードが同期回転することをコントロールする。
【００１７】
上記した案で述べたように、電動引き抜きシステム作動するとき、フレキシブルワイヤーロープはワイヤーロープケースの軸方向に回転すると同時に連動板セットの３つの固定板及びフレキシブルワイヤーロープのＵ型ボルトのナットと接続して、連動盤を回転させる。回転している連動盤は連動ピン、関節ベアリング及び連動板セットを通じて、ブレードを回転軸に動かし電動ピッチさせる。それでブレードの迎角を変更させ、自動的に連動ピッチする。ワイヤーロープケースは、ヘッドハブと電機中空スピンドルに対しては止まっている。前記したフレキシブルワイヤーロープは、中空電機スピンドルとヘッドハブに対して回転する。
【００１８】
上記した案のように、バッファーはピッチダンパースプリングであり、ブレード連動ピッチする時インペラの出力は穏やかになってくる。
【００１９】
上記した案のように、電動引き抜きシステムとワイヤーロープケース及びフレキシブルワイヤーロープが作動するとき、一方向に引き抜きするため、ワイヤーロープケースは発電機の中空スピンドルとの相対回転はしない、その代わりにフレキシブルワイヤーロープは中空スピンドルに沿って軸方向に動く。ピッチ回復するとき、フレキシブルワイヤーロープはバッファーの作用で戻る。
【００２０】
本発明は能動と受動の両方出来るピッチシステムであり、構造が簡単で、軽くて、作動が安定しており、調整がしやすく、コストが低くて、精度が高いというメリットを持つ。可変ピッチの同期性を利用して、ピッチ能動的に変更して風力発電システムの稼動安定性と発電量をアップさせ、風力発電システムの寿命を延長させ、風力発電システムの稼動安全性を保つ。
【図面の簡単な説明】
【００２１】
【図１】図１は、本発明に係る風力発電システムの全体構造イメージ図である。
【図２】図２は、本発明に係るブレード付きの連動システム正面図である。
【図３】図３は、本発明に係る連動システム立体構造のイメージ図である。
【図４】図４は、本発明に係るブレード根のシャフトと連動板セットの接続イメージ図である。
【図５】図５は、本発明に係る連動板セットは関節ベアリングを通じて取り付けイメージ図である。
【図６】図６は、本発明に係る連動盤セット分解イメージ図である。
【発明を実施するための形態】
【００２２】
図１は、本発明に係る風力発電システムの全体構造イメージ図、図２は、本発明に係るブレード付きの連動システム正面図、図３は、本発明に係る連動システム立体構造のイメージ図、図４は、本発明に係るブレード根のシャフトと連動板セットの接続イメージ図、図５は、本発明に係る連動板セットは関節ベアリングを通じて取り付けイメージ図、図６は、本発明に係る連動盤セット分解イメージ図である。
【００２３】
この新型風力発電機連動ピッチシステムは、３枚ブレードの風力発電機に適用する。図１と図２で示すように、３枚ブレードの風力発電機はナセル１とノーズコーン５で構成したキャビティに設置され、順番で見れば、電動引き抜きシステム２、風速を測定する風速計３、発電機４，発電機４と接続するヘッドハブ８、ブレード６はブレード取り付け板７を通じてブレード回転セット９に固定する。本発明は、連動板セット１２、連動盤セット１５およびワイヤーロープセット２５で構成した連動ピッチシステムをヘッドハブ８に設置する。
【００２４】
本発明に係る新型風力発電機連動ピッチシステムはブレードを能動的にまたは受動的にピッチさせる。図１から図３まで示すように、シャフト付きの３枚ブレード６はベアリング１１を通じてヘッドハブ８と接続して、その中にブレードを回転させる連動ピッチ機構と、中空スピンドル付きの発電機システムと、電動引き抜きシステム２とを含む。上記した若干シャフト付きのブレード６は、それぞれのベアリング１１を通じて均等にヘッドハブ８の外回りの電動ピッチに取り付ける。前記した連動ピッチ機構は少なくともヘッドハブ８内の連動板セット１２、関節ベアリング１３および連動板セット１２に接続する連動盤セット１５、連動盤セット１５上の中心ベアリング１６、ワイヤーロープセット２５を含めて構成する。
【００２５】
図４と図５に示すように、図４での連動板セット１２はブレード根のシャフト１０と接続してから連動板セット１２上の関節ベアリング１３を通じて連動盤セット１５と結ぶ。図５に示すように、連動板のトップに関節ベアリング１３が設置されている。連動板セット１２はブレード根のシャフト１０と接続して連動板セット１２での関節ベアリング１３を通って連動盤セット１５と結ぶ。  
【００２６】
図３と図６に示すように、図６の連動盤セット１５は中心軸穴とブレードを一々対応する曲げ爪の連動盤である。連動盤セット１５に連動ピン１７を設けていて、曲げ爪の先端に固定板と接続し、中心軸穴での中心ベアリング１６を介してヘッドハブ８に取り付ける。
【００２７】
上記した連動板セット１２は、関節ベアリング１３を通じて、連動盤セット１５での連動ピン１７と接続する（固定板の少なくとも一つは、ワイヤーロープセットと接続する）。
【００２８】
前記したワイヤーロープセットは、フレキシブルワイヤーロープ２３、発電機の中空スピンドルを通るワイヤーロープケース２４とケース固定台２１とを含む。フレキシブルワイヤーロープ２３の片一方は固定板と接続し、片一方はケース固定台２１を通じてワイヤーロープケース２４経由で電動引き抜きシステム２に固定されて、電動ピッチを実現させる。固定板とケース固定台間のフレキシブルワイヤーロープ２３の長さを調整して、ブレードセット連動ピッチ初期位置を設定する。バッファー１４経由でピッチのリセットスピードをコントロールして、設計値に達成させる。
【００２９】
上記した案で、図２から図４までに示すように、連動盤セット１５はヘッドハブ８を中心に回転し、シャフト付きのブレード６はベアリング１１を通じてヘッドハブ８に取り付けられ、それに各ブレードの回転中心線はヘッドハブ中心線と交差する。連動板セット１２はブレード回転軸に取り付け、連動盤セット１５で固定されたワイヤーロープの伸び量で連動盤回転角度と複数ブレードが同期回転することをコントロールする。
【００３０】
図３で示すように、フレキシブルワイヤーロープ２３の片一方はＵ型ボルト２２を抑え、３つの固定板１８を通ってナット２６を３つの固定板１８に取り付ける。片一方はワイヤーロープケース２４を通って発電機の電動引き抜きシステム２に固定する。中に、ワイヤーロープケース２４の一端はケース固定台２１を経由で発電機４の中空軸を通って、中空発電機主軸と電動引き抜きシステム２の接続端子に固定させる。ケース固定台２１はヘッドハブ８にてのケース固定板２０に取り付ける。
【００３１】
上記した案で、電動引き抜きシステム２を作動するとき、フレキシブルワイヤーロープ２３はワイヤーロープケース２４の軸方向に回転すると同時に連動板セット１２の３つの固定板１８及びフレキシブルワイヤーロープ２３のＵ型ボルト２２のナット２６と接続して、連動盤を回転させる。回転している連動盤は連動ピン１７、関節ベアリング１３及び連動板セット１２を通じて、ブレードを回転軸に動かし電動ピッチさせる。それでブレードの迎角を変更させ、自動的に連動ピッチする。ワイヤーロープケース２４は、ヘッドハブ８と電機中空スピンドルに対しては止まっている。前記したフレキシブルワイヤーロープ２３は中空電機スピンドルとヘッドハブ８に対して回転する。
【００３２】
上記したバッファー１４はピッチダンパースプリングであり、ブレード連動ピッチする時インペラの出力は穏やかになってくる。
【００３３】
前記した電動引き抜きシステム２とワイヤーロープケース２４及びフレキシブルワイヤーロープ２３が作動するとき、一方向に引き抜きするから、ワイヤーロープケース２４は発電機の中空スピンドルとの相対回転はしない、その代わりにフレキシブルワイヤーロープ２３は中空スピンドルに沿って軸方向に動かす。ピッチ回復するとき、フレキシブルワイヤーロープ２３はバッファー１４の作用で戻る。
【００３４】
本発明のメカニズムを以下に示す。
【００３５】
風力発電機主制御システム信号を通じて電動引き抜きシステムを指令し、ブレードピッチの角度を制御してブレード能動ピッチを実現する。関節ベアリングの自由回転能力、連動盤セットにての連動ピンを利用して関節ベアリングと接続して、関節ベアリングが連動盤セットでの可動性も利用してインペラの各ブレードがピッチするとき、高い同期性を実現する。それで風切りや風向下向きのタワーシャドウ効果で起こしたブレードピッチ変動力の不均一で不同期問題を解決する。
【００３６】
ピッチ変動の同期と時間的のピッチ能動変更ということで、風力発電システムの安定性と圧電量をアップさせ、風力発電システムの運営寿命を延長して、風力発電システムの稼動安全性を保つ。
【００３７】
ブレード６は空気荷重及び自体重力でブレード根の主軸に回らせるモーメントを生じる。このトルクはブレード重量、重心位置、インペラ回転スピード、風速、風向などに関わる。トルクの作用で、ブレード６はブレード根の主軸に沿って回転する。各ブレードはブレード根の主軸に沿って回転する方向が一致であり、連動板セット１２を動かしてラジアルで回転する。ブレード６はブレード根の主軸に沿って回転したら連動盤セット１５および中心ベアリング１６（即ち、インペラ回転中心線）も回転する。この構造は複数ブレード回転の動静同期性を保証できる。
【００３８】
図２と図４で示すように、本事例は３枚ブレードの風力発電機で、シャフト付きのブレード６は主軸を通じてヘッドハブ８に接続する。ブレード６は主軸周りに回転し、９はブレード回転セットで、１０はブレード根のシャフトである。
【００３９】
各ブレード取り付けセットに対する主軸の中心はハブ中心線と交差して、主軸の根で連動板セットが付けられ、連動板セットには一つの関節ベアリングが取り付けられる。その連動板セットはプロフィール配合でブレード主軸と接続して、三つのセットは関節ベアリングで連動盤セットに接続する。連動盤セットはベアリングを経由でハブを接続してから、連動盤はハブ中心線に回転される。
【００４０】
関節ベアリングの自由多角度回転と連動盤セット回転垂直方向で移動して各ブレードを連動させる。ケース固定台と３つの固定板接続したワイヤーロープセットの収縮量を調整してブレード初期値を設置する。ヘッドハブにつけたダンパーはクッションしてブレードピッチした連動盤セットが穏やかに回復される。ブレード自動的にピッチさせるように、電動可変ピットシステムを増設した。ワイヤーロープとワイヤーロープケースの相対運動を利用して機構の運動方向と角度を適切な位置で移動させ、ピッチ運転を制御する。上記した構造のおかげで、多ブレードシステムはピッチ変更するとき同期性を実現させ、ブレードピッチ不同期での振動や騒音などの問題を解決する。
【００４１】
風力発電システムは強風警戒やメンテナンスなどで止まることや自動的に或いは指令電動的ピッチするが必要なときで、電動引き抜きシステム２は風力発電システム主制御システムから信号をもらってフレキシブルワイヤーロープ２３を動かしワイヤーロープケース２４に対して運転する。それでフレキシブルワイヤーロープ２３のＵ型ボルトでのナット２６は連動盤セットでの３つの固定板１８を動かして連動盤セット１５を回転させる。連動盤セット１５は連動ピン１７や連動ピンと接続した連動板セット１２を通じてブレード主軸を回転させ、ブレード６のピッチ角度を変更させる。電動引き抜きシステム２は風力発電システムから回復信号をもらったとき、バッファー１４のダンパースプリングで連動盤セット１５が設計的なスピード通りに戻って、フレキシブルワイヤーロープ２３の初期位置で止まって、ブレード最初取り付け角度に達し、ピッチ回復が完成する。
【００４２】
本発明は能動と受動の両方出来るピッチシステムであり、構造が簡単、軽くて、作動安定、調整便利、コスト低くて、精度が高いというメリットを持つ。可変ピッチの同期性を利用して、ピッチ能動的に変更して風力発電システムの稼動安定性と発電量をアップさせ、風力発電システムの寿命を延長させ、風力発電システムの稼動安全を保つ。
【符号の説明】
【００４３】
１    ナセル、
２    電動引き抜きシステム、
３    風速計、
４    発電機、
５    ノーズコーン、
６    ブレード、
７    ブレード取り付け板、
８    ヘッドハブ、
９    ブレード回転セット、
１０  ブレード根のシャフト、
１１  中心ベアリング、
１２  連動板セット、
１３  関節ベアリング、
１４  ダンパースプリング、
１５  連動盤セット、
１６  ベアリング、
１７  連動ピン、
１８  ３つの固定板、
１９  ピン、
２０  ケース固定板、
２１  ケース固定台、
２２  Ｕ型ボルト、
２３  フレキシブルワイヤーロープ、
２４  ワイヤーロープケース、
２５  ワイヤーロープセット、
２６  ナット。
【図１】
2017535716.tif 000003
【図２】
2017535716.tif 000004
【図３】
2017535716.tif 000005
【図４】
2017535716.tif 000006
【図５】
2017535716.tif 000007
【図６】
2017535716.tif 000008
【国際調査報告】
2017535716.tif 000009
2017535716.tif 000010
2017535716.tif 000011
2017535716.tif 000012